(57)【特許請求の範囲】
【請求項１】
通信装置のキャビネットに搭載したユニット枠内に収容される電子回路パッケージのうち、挿抜対象外の電子回路パッケージから引き出したケーブルを、挿抜対象の電子回路パッケージの挿抜側で挿抜空間を横切るように取り付けるケーブルサポートにおいて、
前記キャビネット内に固定した支持体と、該支持体に上下方向に回動可能なように支持され前記ケーブルを取り付けたケーブルサポート棚を備え、
前記挿抜対象の電子回路パッケージを挿抜しないとき、前記ケーブルサポート棚を各電子回路パッケージの端面と平行になるようにし、前記挿抜対象の電子回路パッケージを挿抜するときは、前記ケーブルサポート棚を回動させて前記ケーブルを電子回路パッケージの挿抜に支障のない位置に退避させることを特徴とするケーブルサポート。
【請求項２】
請求項１記載のケーブルサポートにおいて、
前記ケーブルサポート棚を各電子回路パッケージの端面と平行な状態にロックするロック手段を設けたことを特徴とするケーブルサポート。
【発明の詳細な説明】
【０００１】
【発明の属する技術分野】
本発明は、通信装置等のキャビネットに搭載されるユニット搭載枠に搭載されるユニット枠に収容される電子回路パッケージから引き出したケーブルのサポートをするケーブルサポートに関する。
【０００２】
【従来の技術】
以下に、図面を参照して、従来のケーブルサポートを説明する。
図７はこの種のケーブルサポートの従来例を示す斜視図であり、これは一般的な前面アクセスの通信装置架に適用した例である。図８は同通信装置架の分解斜視図である。なお、図７は通信装置架の後面側を示している。
【０００３】
まず、図８に示すように、通信装置等のキャビネット１には、その前面側からサブラックなるユニット搭載枠２が搭載される。このユニット搭載枠２には、ユニット枠３が搭載される。このユニット枠３には、複数枚の電子回路パッケージ（以下「パッケージ」と称する。）４が、その前面側からスリット状に収容され、その後面側に設けられた図示しないバックボードに接続されるようになっている。また、そのパッケージ４には挿抜治具５が設けられている。この挿抜治具５は、ユニット枠３に設けられた図示しない該当箇所に引っ掛けられ、パッケージ４をユニット枠３に確実に収容するものである。なお、パッケージ４のユニット枠３へのアクセス及び挿抜は、ユニット枠３の前面側から行うようになっている。
【０００４】
このような通信装置架において、図７に示すように、ユニット搭載枠２の後面上部には梯子状に形成されたケーブルサポート６が固定されている。そのケーブルサポート６の上には、キャビネット１の側面より引き出されるケーブル７が這わせて適宜固縛して取り付けられている。そのケーブル７の先端にはコネクタ８が設けてあり、このコネクタ８がバックボードのコネクタ裏面側に接続するようになっている。
【０００５】
【発明が解決しようとする課題】
ここで、通信装置構成の高度化にともない、図９に分解斜視図で示すように、キャビネット前面側、裏面側からパッケージ４を挿抜する形態の両面アクセス型ユニット枠２０が搭載される場合がある。
しかしながら、図７で示した構成の従来技術を、このような両面アクセス型ユニット枠に適用すると、図１０に斜視図で示すような状態となる。かかる状態では、当該ユニット枠に収容されたパッケージのアクセス及び挿抜をする場合には、キャビネットの前面側及び後面側から行うが、特に、キャビネットの後面側からのときには、ケーブルサポートに固縛されたケーブルが、ユニット枠のケーブルサポート近傍の挿抜治具の操作の邪魔になってしまう問題がある。また、各パッケージにケーブルが接続される場合には各ケーブルが邪魔になってパッケージの挿抜に必要な空間が取れないため、アクセス及び挿抜の対象のパッケージ以外のパッケージに接続されたケーブルをも取り外さなくてはならず、手間がかかる問題がある。従って、従来のケーブルサポートでは、両面アクセス型のユニット枠を使用すると、パッケージのアクセス及び挿抜に支障をきたしてしまう問題があった。
【０００６】
【課題を解決するための手段】
そこで本発明は、通信装置のキャビネットに搭載したユニット枠内に収容される電子回路パッケージのうち、挿抜対象外の電子回路パッケージから引き出したケーブルを、挿抜対象の電子回路パッケージの挿抜側で挿抜空間を横切るように取り付けるケーブルサポートにおいて、前記キャビネット内に固定した支持体と、該支持体に上下方向に回動可能なように支持され前記ケーブルを取り付けたケーブルサポート棚を備え、前記挿抜対象の電子回路パッケージを挿抜しないとき、前記ケーブルサポート棚を各電子回路パッケージの端面と平行になるようにし、前記挿抜対象の電子回路パッケージを挿抜するときは、前記ケーブルサポート棚を回動させて前記ケーブルを電子回路パッケージの挿抜に支障のない位置に退避させるものとした。
【０００７】
また、本発明は、前記ケーブルサポートにおいて、前記ケーブルサポート棚を各電子回路パッケージの端面と平行な状態にロックするロック手段を設けたものとした。
【０００９】
【発明の実施の形態】
以下に、図面を参照して、本発明の実施の形態を説明する。
第１の実施の形態
図１は第１の実施の形態のケーブルサポートの斜視図であり、これは一般的な両面アクセスの通信装置架に適用した例である。
【００１０】
図に示すように、通信装置等のキャビネット１には、従来と同様に、その前面側からサブラックなるユニット搭載枠２が搭載される。このユニット搭載枠２には、両面アクセス型ユニット枠２０が搭載される。この両面アクセス型ユニット枠２０には、複数枚の電子回路パッケージ（以下「パッケージ」と称する。）４が、その前面及び後面側からスリット状に収容され、その中間に設けられた図示しないバックボードに接続されるようになっている。また、そのパッケージ４には挿抜治具５が設けられている。この挿抜治具５は、両面アクセス型ユニット枠２０に設けられた該当箇所に引っ掛けられ、パッケージ４を両面アクセス型ユニット枠２０に確実に収容するものである。なお、キャビネット１の側面の内壁には、ユニット搭載枠２の取り付けやキャビネット１の補強等のために、取付支柱９が配置されており、この取付支柱９には、適宜な間隔を空けてネジ嵌合穴９ａが設けてある。また、パッケージ４の両面アクセス型ユニット枠２０へのアクセス及び挿抜は、キャビネット１の前面側から行うときには両面アクセス型ユニット枠２０の前面側から行い、キャビネット１の後面側から行うときには両面アクセス型ユニット枠２０の後面側から行うが、本実施の形態では、その後面側から行う場合に好適なケーブルサポートを取り付けたものである。以下、順を追って説明する。
【００１１】
図２にケーブルサポートの分解斜視図、図３及び図４にケーブルサポートの要部分解斜視図を示す。なお、以下では、図２〜図４を基に説明するが、図１も適宜参照するものとする。
本実施の形態のケーブルサポートは、主に、ケーブルサポート支持体１０、ケーブルサポート固定用ブラケット（以下「ブラケット」と称する。）１１、ケーブルサポート棚１３及び固定用ロックバネ１５の部品をキャビネット１の後面側に取り付けて構成される。前記ケーブルサポート支持体１０は、板状に形成され、一端に図示しないネジ貫通穴を有する固着台を形成してあり、一つのユニット搭載枠３に対して４個用意する。前記ブラケット１１には、図３又は図４に示すように、凸部１２及び嵌合用穴１６が設けてあり、一つのユニット搭載枠３に対して２組の対称なものを４個用意する。前記ケーブルサポート棚１３は、図２に示すように、梯子状に枠を有するものであり、図中下側両端に固定用穴１４を設け、図中上側両端に固定用ロックバネ１５が固着されている。この固定用ロックバネ１５には、図４に示すように、ロック部１８がピストン状に移動可能に取り付けられており、このロック部１８を動かすロック解除用レバー１７が側面から外部に突出させるようにしてある。
【００１２】
上記各部品は、図２〜図４に示すように、次のように通信装置架に取り付けられる。即ち、４個の前記ケーブルサポート支持体１０が、ユニット搭載枠２の取付位置の高さに合わせて前記取付支柱９に固着される。この固着は、例えば、図１に示した前記ネジ嵌合穴９ａに図示しないネジを嵌合させて行う。また、各ケーブルサポート支持体１０の先端には、前記ブラケット１１が前記凸部１２を内側に向けて左右対称に取り付けられる。そして、このブラケット１１の凸部１２に前記ケーブルサポート棚１３の固定用穴１４を嵌合させて、ケーブルサポート棚１３が凸部１２を中心に回転可倒に取り付けられる。また、前記ロック部１８は、図１に示すように、ケーブルサポート棚１３を図中時計回りに持ち上げることで回転させてキャビネット１内に収納する形態のときには、図４に示す如く前記嵌合用穴１６に嵌合されるようになっている。なお、ロックをする際は、ケーブルサポート棚１３に搭載させるロックバネ１５をケーブルサポート棚１３と一緒に押し込み、ロック部１８がブラケット１１のロックバネ嵌合用穴１６に嵌合固定される。また、ロックを解除する際は、ロック解除用レバー１７をスライドさせることにより、ブラケット１１のロックバネ嵌合用穴１６からロックバネ１５が解除される。
【００１３】
一方、図１のように、パッケージ４の後面にアクセスするケーブル７は、ケーブルサポート棚１３に這わせるようにして紐状体１９により固縛されている。なお、この固縛は、紐状体に限らず、例えば、テープ状体のものや接着剤等により取り付けるようにしたものであってもよい。また、ケーブル７の先端にはコネクタ８が設けてあり、このコネクタ８がパッケージ４のコネクタに接続するようになっている。
【００１４】
次に、上述した本実施の形態のケーブルサポートの作用を説明する。図５は、ケーブルサポートの作用を説明する斜視図である。なお、以下では、図１を適宜参照して説明する。
まず、図１に示すように、ケーブルサポート棚１３を図中時計回りに持ち上げることで回転させてキャビネット１内に収納したロックされた形態から、図５に示すように、ロックを解除してケーブルサポート棚１３を図中時計逆回りに引き出して回転可倒させてユニット搭載枠２０の後面にスペースを確保した状態にする。即ち、本実施の形態におけるケーブルサポートでは、ケーブルサポート棚１３の回転可倒により、かかる状態で、保守員等が挿抜治具５を操作してパッケージ４の挿抜等を行えるようになる。
【００１５】
従って、上記実施の形態によると、両面アクセス型ユニット枠に収容されたパッケージのアクセス及び挿抜が、キャビネットの後面側から行う場合であっても、ケーブルサポートに固縛されたケーブルがケーブルサポート棚の回転可倒によりキャビネットの外部に出されて、挿抜治具の近傍に十分なスペースが確保されるため、支障なく行うことができる効果が得られる。また、複数のケーブルが接続されている場合にも、パッケージの挿抜に必要な空間が十分に取れるため、対象のパッケージ以外のパッケージに接続されたケーブルをも取り外さなくても行うことができる効果が得られる。従って、本実施の形態のケーブルサポートでは、両面アクセス型のユニット枠を使用しても、パッケージのアクセス及び挿抜に支障をきたすことがないという効果が得られる。
【００１６】
第２の実施の形態
なお、以下では、上記第１の実施の形態と相違する点を説明し、共通する点の説明は省略するものとする。図６に第２の実施の形態のケーブルサポートの斜視図を示す。ここで、図中、同一機能を有する要素に同一符号を付すものとする。上記第１の実施の形態では一つのユニット搭載枠の場合について説明したが、本実施の形態では複数のユニット搭載枠を搭載するようにしたものである。即ち、２つのユニット搭載枠２を上下に重なり合うようにキャビネット１に搭載し、２つのユニット搭載枠２の搭載ピッチに合わせて上記第１の実施の形態と同様のケーブルサポートを配置したものである。但し、上側のユニット搭載枠２側のケーブルサポート棚１３を嵌め込む凸部１２を有するブラケット１１と、下側のユニット搭載枠２側のケーブルサポート棚１３をロックする際の嵌合用穴１６を有するブラケット１１とを一つのもので兼用するようにしたものである。
【００１７】
従って、本実施の形態によると、上記第１の実施の形態と同様の効果とともにユニット搭載枠を複数搭載する場合の部品数を減らすことができる効果が得られる。
なお、上記各実施の形態では、ケーブルサポート棚１３が回転可倒する場合を説明したが、ケーブルサポート棚１３が上側に開くように回転可能に取り付けるようにしてもよい。このようにすると、ユニット搭載枠が高い位置に搭載されている場合に有利である。
【００１８】
【発明の効果】
以上説明したように本発明によると、両面アクセス型ユニット枠に収容されたパッケージのアクセス及び挿抜が、キャビネットの後面側から行う場合であっても、ケーブルサポートに固縛されたケーブルがケーブルサポート棚の回転によりキャビネットの外部に出されて、挿抜治具の近傍に十分なスペースが確保されるため、支障なく行うことができる効果が得られる。また、複数のケーブルが接続されている場合にも、パッケージの挿抜に必要な空間が十分に取れるため、対象のパッケージ以外のパッケージに接続されたケーブルをも取り外さなくても行うことができる効果が得られる。従って、本実施の形態のケーブルサポートでは、両面アクセス型ユニット枠を使用しても、パッケージのアクセス及び挿抜に支障をきたすことがないという効果が得られる。
【図面の簡単な説明】
【図１】第１の実施の形態のケーブルサポートの斜視図
【図２】ケーブルサポートの分解斜視図
【図３】ケーブルサポートの要部分解斜視図
【図４】ケーブルサポートの要部分解斜視図
【図５】ケーブルサポートの作用を説明する斜視図
【図６】第２の実施の形態のケーブルサポートの斜視図
【図７】従来例を示す斜視図
【図８】前面アクセスの通信装置架の分解斜視図
【図９】両面アクセス型ユニット枠の分解斜視図
【図１０】従来例を両面アクセス型ユニット枠に適用した場合を示す斜視図
【符号の説明】
１  キャビネット
２  ユニット搭載枠
４  電子回路パッケージ
５  挿抜治具
７  ケーブル
８  コネクタ
９  取付支柱
９ａ  ネジ嵌合穴
１０  ケーブルサポート支持体
１１  ケーブルサポート固定用ブラケット
１２  凸部
１３  ケーブルサポート棚
１４  固定用穴
１５  固定用ロックバネ
１６  嵌合用穴
１７  ロック解除用レバー
１８  ロック部
１９  紐状体
２０  両面アクセス型ユニット枠
【図１】
0003692413.tif 000002
【図２】
0003692413.tif 000003
【図３】
0003692413.tif 000004
【図４】
0003692413.tif 000005
【図５】
0003692413.tif 000006
【図６】
0003692413.tif 000007
【図７】
0003692413.tif 000008
【図８】
0003692413.tif 000009
【図９】
0003692413.tif 000010
【図１０】
0003692413.tif 000011